(57)【要約】  真空掃除機が、床用ツールを取り付けることができるホース・ワンド組立体（２ａ，２ｂ，３８）を有する。ワンド（３８）は、引っ込み位置と伸長位置との間で摺動できる複数本の入れ子管（３９，４０，４１）を有する。電力及び信号を真空掃除機からワンド組立体の端部まで送るために、ホース内のチャネル（３ａ）中に導体（４，５，６）が設けられている。ホース（２ａ）は、最後の入れ子継手をちょうど越えたところでワンドの内部に連結され、導体がホースの端部を越えてワンドの遠方端のところに設けられたコホクタ（４８）まで延びている。この構成によりワンドを下行する確実な電気的接続が自動的に得られる。従来、電気導体は、この種のワンドに用いられていなかった。というのは、入れ子部品相互間の電気的接続を行うのは容易ではなかったからである。
2010512897.tif 000002
【特許請求の範囲】
【請求項１】
表面処理用電気器具用のホース・ワンド組立体であって、ホース及びワンドを有し、前記ホースは、少なくとも１つの電気導体をその長さの少なくとも一部に沿って有し、前記ワンドは、引っ込み位置と伸長位置との間で互いに対して摺動可能に動くことができるよう構成された複数本の管を有し、前記ホースは、前記管が前記伸長位置にあるとき、前記ホースが前記ワンドの少なくとも一部の中に延びるよう前記ワンドに連結されている、組立体。
【請求項２】
前記ホースは、最も細い前記管の端部まで延びている、請求項１記載の組立体。
【請求項３】
前記ホースは、隣りの管の近くに位置する前記最も細い管の端部まで延びている、請求項２記載の組立体。
【請求項４】
前記少なくとも１つの電気導体は、前記伸長位置にあるときの前記ワンドの遠位端部まで延びている、請求項１、２又は３記載の組立体。
【請求項５】
前記最も細い管は、前記ワンド組立体に取り付け可能なコンポーネントに接続可能に前記管から突き出た電気コネクタを有する、請求項１〜４のうちいずれか一に記載の組立体。
【請求項６】
前記複数本の管を前記引っ込み位置にあるときに収納することができる収納用管を更に有する、請求項１〜５のうちいずれか一に記載の組立体。
【請求項７】
前記複数本の管を前記収納管内で引っ込み位置に保持するロック手段を更に有する、請求項６記載の組立体。
【請求項８】
各管をその隣りの管に対して所定の位置にロックするよう構成された固定機構体を更に有する、請求項１〜７のうちいずれか一に記載の組立体。
【請求項９】
複数のコネクタが、前記ホースの長さの少なくとも一部に沿って延びている、請求項１〜８のうちいずれか一に記載の組立体。
【請求項１０】
前記コネクタは、前記ホース内に設けられたスリーブによって支持されている、請求項１〜９のうちいずれか一に記載の組立体。
【請求項１１】
前記ホースは、第１のホース部分と、第２のホース部分と、第１のホース部分と第２のホース部分との間に設けられていて、前記ホース部分の相対回転運動を可能にするよう構成された継手とを有する、請求項１〜１０のうちいずれか一に記載の組立体。
【請求項１２】
前記管が前記伸長位置にあるとき、前記継手は、前記ワンドの端部に隣接して位置する、請求項１１記載の組立体。
【請求項１３】
前記継手は、保護カバーを有する、請求項１１又は１２記載の組立体。
【請求項１４】
前記継手は、前記ホース部分のそれぞれの前記電気導体相互間の電気的接続を可能にするよう配置されたスリップリング構造体を有する、請求項１１、１２又は１３記載の組立体。
【請求項１５】
ユーザが前記ワンドを操作することができるようにするよう構成された取っ手を更に有する、請求項１〜１４のうちいずれか一に記載の組立体。
【請求項１６】
請求項１〜１５のうちいずれか一に記載のホース・ワンド組立体を有する、表面処理用電気器具。
【請求項１７】
電力を前記ホースに送るよう構成されたプロセッサを更に有する、請求項１６記載の電気器具。
【請求項１８】
信号を前記ホースに送るよう構成されたプロセッサを更に有する、請求項１６又は１７記載の電気器具。
【請求項１９】
前記ホースから信号を受け取るよう構成されたプロセッサを更に有する、請求項１６、１７又は１８記載の電気器具。
【請求項２０】
モータ駆動式攪拌器を備えた床用ツールを更に有する、請求項１６〜１９のうちいずれか一に記載の電気器具。
【請求項２１】
実質的に添付の図面を参照して明細書において説明すると共に添付の図面に記載された表面処理用電気器具。
【請求項２２】
真空掃除機の形態をしている請求項１６〜２１のうちいずれか一に記載の表面処理用電気器具。
【発明の詳細な説明】
【技術分野】
【０００１】
本発明は、表面処理用電気器具、例えば真空掃除機のためのホースとワンドの組立体（以下、「ホース・ワンド組立体」という）を提供する。
【背景技術】
【０００２】
真空掃除機は、典型的には、直立形又は筒形のものである。筒形掃除機は、本体を有し、この本体は、空気流を本体内を引き込むモータとファンから成るユニット（以下、「モータ・ファンユニット」という）を収容し、筒形掃除機は、空気流から汚れ及びほこりを取り出し、これを処分のために保持する分離装置を更に有する。分離装置は、サイクロン構造体、袋、フィルタ又はこれらの組み合わせである場合がある。ホース・ワンド組立体が、本体の入口に連結されている。吸引開口部を備えた床用ツールが、本体から見て遠くに位置するワンドの端部に取り付けられていて、吸引開口部をユーザによって掃除されるべき表面を横切って操縦することができるようになっている。直立形掃除機は、一般に、真空掃除機の本体に永続的に取り付けられた掃除機ヘッドを有し、この掃除機ヘッドは、本体と一緒に、掃除されるべき表面を横切って操縦される。しかしながら、多くの直立形掃除機は又、付属品、例えば床用ツールを取り付けることができる取り外し可能又は解除可能なホース・ワンド組立体を提供することにより筒形機械のように作動させることも可能である。
【０００３】
従来型床用ツールは、典型的には、下方に向いた吸引開口部を備え、例えばブラシバー又はビータの形態をした被動攪拌器が収納されるハウジングを有している。汚れ及びほこりは、回転ブラシバー又はビータによってカーペット又は他の床覆いから払い落とされ、汚れ及びほこりは、下流側のファンによって生じる吸引力によりクリーナヘッド内に吸い込まれる。次に、汚れを含んだ空気は、分離装置に送られ、その後清浄な空気が大気中に放出される。
【０００４】
攪拌器は、典型的には床用ツールに設けられた専用モータによって駆動可能である。電力及び信号が、電気的接続部によって本体とこの専用モータとの間に提供できる。従来、これは、ホース・ワンド組立体の内部に又はこの傍らに沿って延びる電線によって行われる。
【発明の概要】
【発明が解決しようとする課題】
【０００５】
真空掃除機を都合良く収納できるよう真空掃除機をコンパクトに製作することが提案された。収納のためにコンパクトな真空掃除機を実現するため、複数本の入れ子管を有するワンドを提供することが知られている。これら管を使用のために伸長させることができ、また、収納のために引っ込めることができる。しかしながら、この種の入れ子式ワンドは、互いに摺動する管相互間の確実な電気的接続を維持するのが困難なので、本体と床用ツールとの間に電気的接続を必要とする真空掃除機への使用には適していない。
【課題を解決するための手段】
【０００６】
本発明は、表面処理用電気器具用のホース・ワンド組立体であって、ホース及びワンドを有し、ホースは、少なくとも１つの電気導体をその長さの少なくとも一部に沿って有し、ワンドは、引っ込み位置と伸長位置との間で互いに対して摺動可能に動くことができるよう構成された複数本の管を有し、ホースは、管が伸長位置にあるとき、ホースがワンドの少なくとも一部の中に延びるようワンドに連結されていることを特徴とする組立体を提供する。
【０００７】
管が掃除に用いられる位置にあるときにワンドの内部に沿って延びる電気導体を収容したホースを設けることにより、ワンドに沿う電気的接続が自動的に提供される。
【０００８】
好ましくは、ホースは、最も細い管の端部に連結され、これは、ワンドが伸長位置にあるときにユーザから最も遠くに位置する管である。かくして、入れ子部品全て相互間に確実な電気的接続が提供される。有利には、ホースは、最も細い管とその隣りの管との間の最後の入れ子継手をちょうど越えたところで終端する。ホースは、管相互間の最後の摺動接続部を越えて延びる必要はなく、したがって、ホースをこの箇所で終端させることにより、材料の節約が得られる。導体は、ホースの端部を越えて延び、好ましくは、モータ駆動式ツールをワンドの端部に接続することができるようにするためにワンドの端部のところで終端する。
【０００９】
ホースは、ホースの部分相互間に位置するスリップリングの形態をした継手を有するのが良い。ホースは、管が伸長位置にあるときにこの継手がワンドの端部に当接するよう配置されているのが良い。
【００１０】
「表面処理用電化製品」という用語は、広い意味を有するものであり、表面を何らかの仕方で掃除し又は処理するために表面上を走行するヘッドを備えた多種多様な機械を含む。かかる表面処理用電気器具は、とりわけ、吸引力を表面に及ぼして表面から物質を引き込む機械、例えば真空掃除機（乾式、湿式及び湿式・乾式）並びに物質を表面に塗布する機械、例えば研磨・ワックス掛け機械、圧力洗浄機械、地面マーク付け機械及び特殊洗浄機械を含む。また、かかる表面処理用電気器具は、芝刈り機や他の切断機械を含む。
【００１１】
次に、添付の図面を参照して本発明を例示的に説明する。
【図面の簡単な説明】
【００１２】
【図１ａ】本発明に従って構成されたホース組立体のコンポーネントの分解組立て図である。
【図１ｂ】本発明に従って構成されたホース組立体のコンポーネントの分解組立て図である。
【図２】図１のホース組立体の一部の部分切除斜視図である。
【図３】図２のＡ‐Ａ′線矢視部分断面図である。
【図４】図１〜図３のホースを有するホース・ワンド組立体を引っ込み位置で示す部分断面図である。
【図５】図４のホース・ワンド組立体を伸長位置で示す部分断面図である。
【図６】図４及び図５のホース・ワンド組立体を有する真空掃除機を示す図であり、ワンドが引っ込み位置にある状態を示す図である。
【図７】図６の真空掃除機を示す図であり、ワンドが伸長位置にある状態を示す図である。
【図８】図６及び図７の真空掃除機を使用状態で示す図である。
【発明を実施するための形態】
【００１３】
明細書全体を通じ、同一の参照符号は、同一の部分を示している。
【００１４】
図１ａ及び図１ｂは、全体が参照符号１で示されたホース組立体のコンポーネントをひとまとめに示している。この実施形態では、ホース組立体は、一対のホース部分２ａ，２ｂを有するが、これよりも多くの部分を設けても良い。これらの図には、分かりやすくするためにホース部分２ａ，２ｂの短い区分しか示されていない。代表的には、ホース部分２ａ，２ｂは、非常に長いものである。各ホース部分２ａ，２ｂは、フレキシブルであり且つ強固な波形プラスチック材料の管から成っていて引き伸ばし可能である。ホース部分２ａ，２ｂは、一緒になって、流体流れ導管を形成する。
【００１５】
スリーブ３ａ，３ｂは、それぞれ、各ホース部分２ａ，２ｂの内部に沿って延びている。スリーブ３ａ，３ｂは、ホース部分２ａ，２ｂの直径と比較して比較的小さい直径のものである。スリーブ３ａ，３ｂは、各スリーブがこれを取り付けているホース部分の長手方向軸線に実質的に平行に延びるようホース部分２ａ，２ｂの内壁に取り付けられている。スリーブ３ａ，３ｂは、ホース部分２ａ，２ｂに接着され、これらに熱により溶接され、或いは任意的な手段によって取り付けられるのが良い。
【００１６】
各スリーブ３ａ，３ｂは、スリーブに沿って延びる電気導体のための保護ハウジングとなるよう構成されている。この実施形態では、ホース組立体１に沿う電力及び信号の伝送を可能にするために３つの電気導体４（４ａ，４ｂ）、５（５ａ，５ｂ）及び６（６ａ，６ｂ）が設けられている。導体４ａ，５ａ，６ａは、スリーブ３ａ内部に設けられ、導体４ｂ，５ｂ，６ｂは、スリーブ３ｂの内部を延びている。導体４，５，６は、プラスチックシースによって互いに電気的に絶縁されている。
【００１７】
ホース部分２ａの一端のところに設けられたワンドコネクタ７により、ホース組立体１をワンドに接続することができ、かかるワンドについて本明細書において後で説明する。導体４ａ，５ａ，６ａを外装しているスリーブ３ａは、ワンドコネクタ７を越えて延びている。
【００１８】
他方のホース部分２ｂの反対側の端部のところには、本体コネクタ８が設けられており、この本体コネクタにより、ホースを電気器具、例えば真空掃除機の本体に連結することができる。コネクタ８は、電気コネクタブロック９を支持している。導体４，５，６の端部は、コネクタブロック９の端面に設けられた孔１０，１１，１２内で終端している。他方の端面は、ブロック内の導体４，５，６に電気的に接続されたピン１３，１４，１５を支持している。ピン１３，１４，１５は、電気器具の本体に設けられた適当な雌型コネクタ内に挿入される雄型コネクタとなっている。カバー１６が、コネクタ８及びコネクタブロック９に被さっており、それにより電気接続部が損傷又はいたずらから保護される。
【００１９】
ホース部分２ａ，２ｂ相互間に継手１７が設けられている。継手１７の一部が図１ａに示され、一部が図１ｂに示されている。継手１７により、ホース部分２ａは、ホース部分２ａに対して旋回することができる。第１のカフ１８が、ホース部分２ａに取り付けられており、この第１のカフは、導体４ａ，５ａ，６ａの終端部となっている。導体４ａ，５ａ，６ａの端部は、接触アーム１９，２０，２１に電気的に接続されている。電気的接続は、導体の端部をアームを圧着することにより、これらをはんだ付けすることにより、又は任意他の適当な技術によって実現できる。接触アーム１９，２０，２１は、カフ１８に沿って半径方向と軸方向の両方向に位置が互い違いになっている。接触アーム１９，２０，２１の構成は、図２に明確に見え、図２は、組み立てられた状態の継手１７のコンポーネントを示している。カフ１８及び接触アーム１９，２０，２１は、ホース部分２ａに対して静止状態のままであるよう構成されている。
【００２０】
継手１７は、導電性の３つのスリップリング２２，２３，２４を更に有している。スリップリング２２，２３，２４は、支持リング２５，２６，２７によって支持されており、これら支持リングは、スリップリングを互いに間隔を置いて位置させるのにも役立つ。継手１７を組み立てると、図２で理解できるように、接触アーム１９は、スリップリング２２に接触し、アーム２０は、リング２３に接触し、アーム２１は、リング２４に接触する。このように、導体４ａ，５ａ，６ａとリング２２，２３，２４との間の電気的接続がそれぞれ確立される。
【００２１】
図３は、図２のＡ‐Ａ′線矢視部分断面図であり、この図３は、アーム１９，２０，２１とスリップリング構造体との間に作られた接触部又は接点を示している。接触アーム１９，２０，２１の各々は、半径方向内方に弾性的に付勢されている。この実施形態では、これは、単に金属コネクタアーム１０，２０，２１を半径方向内方に曲げることによって達成されている。他の付勢手段、例えばばねを設けても良い。各コネクタアーム１９，２０，２１の下側は、それぞれ、金属パッド２８，２９，３０を支持している。金属パッド２８，２９，３０は、それぞれ、スリップリング２２，２３，２４に押し付けられている。金属パッド２８，２９，３０は各々、スリップリング２２，２３，２４が時計回りの方向と反時計回りの方向の両方にコネクタアーム１９，２０，２１に対して摺動可能に動くことができるような丸くなったプロフィールを有している。かくして、スリップリング構造体は、ホース部分２ａに対して旋回することができる。このように、継手１７は、ホース部分２ａ，２ｂ相互間の相対回転運動を可能にする。
【００２２】
スリップリング２２の内壁は、支持リング２６，２７の下を軸方向に延びる長い金属タブ３１を支持している。スリップリング２３の内壁は、支持リング２７の下をタブ３１に平行に延びる中程度の長さの金属タブ３２を支持している。スリップリング２４の内壁は、これ又タブ３１，３２と同一方向に軸方向に延びる短い金属タブ３３を支持している。３つのタブ３１，３２，３３は、第１のカフ１８から見て継手１７の反対側の端部のところに設けられた第２のカフ３４で終端している。第２のカフ３４は、ホースの第２の部分２ｂに連結されており、この第２のカフは、タブ３１，３２，３３とこのホース部分２ｂと関連した導体４ｂ，５ｂ，６ｂとの間の電気的接続をもたらす。この電気的接続は、導体をタブを圧着することにより、これらをはんだ付けすることにより、又は任意他の適当な技術によって実現できる。かくして、導体４ａ，５ａ，６ａと導体４ｂ，５ｂ，６ｂとの間の電気的接続がそれぞれ行われる。
【００２３】
導管３５が、ホース部分２ｂに取り付けられており、この導管は、スリップリング２２，２３，２４及び支持リング２５，２６，２７から成る構造の下を軸方向に延びている。導管２５は、第１のカフ１８に当接したシール３６内で終端している。導管３５は、スリップリング構造体と一緒に回転するよう構成されており、したがって、カフ１８に対して旋回する。導管３５は、ホースの２つの部分２ａ，２ｂ相互間の流体流れ経路を提供している。
【００２４】
最後に、継手１７の電気的接続部を覆ってこれらを保護し、コンポーネントを結合することを目的として、２つのカバー部材３７ａ，３７ｂから成るカバー３７が設けられている。カバー３７は、例えば図４〜図８に示されている本発明の第２の観点に従って構成されたワンド・ホース組立体と共に用いられた場合にもう１つの目的を達成するのにも役立つ。
【００２５】
図４及び図５を参照すると、ワンド組立体は、全体が参照符号３８で示されている。これらの図において分かりやすくするために、ホース組立体１のホース部分２ａ，２ｂは、これらの波形部が省かれた状態で示されている。ワンド組立体３８は、直径が次第に減少する３本の管３９，４０，４１を有し、これら管が互いに入れ子状に伸縮できるようになっている。３本の管３９，４０，４１は、収納管４２内に引っ込み可能に収容される。ユーザがワンド組立体３８を操作することができるようにするための取っ手４３が、収納管４２に設けられている。
【００２６】
管３９，４０，４１は、互いに内部で摺動可能であり、これら管を引っ込み位置（図４及び図６に示されている）と伸長位置（図５及び図７に示されている）との間で動かすことができる。完全伸長位置では、管３９，４０，４１の端部のみが、互いにオーバーラップしている。完全引っ込み位置では、管３９，４０，４１は、互いに内部に嵌まり込み、収納管４２を占有する。
【００２７】
ロックレバー４４が、収納管４２に設けられている。ロックレバー４４は、ワンド組立体３８が引っ込み位置を占めたときに、最も小径の管４１の遠位端部に設けられた切欠き４５に嵌まり込むフック４４ａを支持している。フック４４ａと切欠き４５の構成により、ロックレバー４４がフック４４ａを解除するよう作動されるまで、管３９，４０，４１は、収納管４２内にしっかりと保持される。
【００２８】
管を伸長させたり引っ込めたりすることができる機構体は、本願の要旨ではないので、詳細には説明しない。管が互いに対して摺動可能に動いたり伸長位置でロックしたりすることができるようにする固定機構体の適当な構成が、本出願人の欧州特許第１３６５６７６号明細書に記載されている。かかるワンド構成を採用した場合の利点の１つは、ワンドの完全な伸縮をユーザが各固定機構体を別々に作動させる必要なく、１回の連続した迅速な動きで実施できるということにある。
【００２９】
本発明によれば、ホース２は、管３９，４０，４１が伸長位置を占めたときに、電気導体４ａ，５ａ，６ａを収容しているホース部分２ａがワンド組立体３８の内部に沿って延びるよう管４１に連結されている。かくして、ワンド組立体の入れ子部品相互間の連続的な電気的接続が容易に行われる。別の利点として、ワンド内部に沿って延びるホースを設けることにより、ワンドの管相互間の確実な密封的接続が不要になる。
【００３０】
ホース部分２ａのワンドコネクタ７は、最も直径の小さな管４１の端部に固定される。この実施形態では、ワンドコネクタ７は、管４１の遠位端部ではなく、管４１の近位端部、即ち、管４０の近くに位置する端部に取り付けられる。これは、ホース２が管４０，４１相互間の連結部を越えて延びる必要がないからである。というのは、この箇所を越える摺動可能又は可動ワンド部分が存在しないからである。スリーブ３ａは、管４１の内壁に沿って延びるチャネル４６内を延びている。管４１の遠位端部に設けられたワンドコネクタブロック４７が、スリーブ３ａの端部から出ている導体４ａ，５ａ，６ａとワンド組立体３８の端部から突き出た対応のピン４８との間の電気的接続部となっている。ワンドコネクタブロック４７は、管４１の遠位端部のところに設けられたラッパ形に広がっているカフ４９内に組み込まれている。ピン４８は、例えば図７及び図８に示されている床用ツール５０に連結可能な雄型コネクタを形成している。
【００３１】
床用ツール５０は、ブラシバー５２の形態をした攪拌器を支持するチャンバを備えたハウジング５１を有している。チャンバの下方の床に向いた側は、空気入口スロット５３を有し、ブラシバー５２は、ブラシバーの剛毛が入口スロットを通って突き出ることができ、そして表面処理用ヘッドが通過する床面を攪拌することができるようチャンバ内に回転可能に設けられている。ブラシバー５２は、ハウジング５１の後部上に配置された専用モータ５４によって回転可能に駆動される。
【００３２】
ホースの長さに沿って延び、それ故伸長位置にあるワンド組立体の長さに沿って延びる電気導体４，５，６は、電力をモータ５４に供給すると共に床用ツール５０に設けられているスイッチ又は他のコンポーネントと電子プロセッサ５５との間で信号を送ることができ、電子プロセッサは、本発明のこの実施形態では、都合の良いことには、真空掃除機５７の形態をした表面処理用電気器具の本体５６に設けられている。
【００３３】
真空掃除機５７の本体５６は、分離装置５８及び汚れ含有空気を分離装置内に引き込むことができる吸引空気流を発生させるモータ駆動式ファン５９を収容している。この実施形態では、分離装置５８は、汚れ、ほこり及びデブリを高速回転させて空気流から除去するサイクロン分離器から成っている。他形態の分離器、例えばフィルタバッグ、静電分離器又は液体を利用した分離器を用いることができる。分離装置５８の形態は、本発明にとって重要ではない。本体５６は、本体５６を処理されるべき表面に沿って引くことができる車輪６０を更に有している。
【００３４】
ホース組立体１のコネクタ８は、本体５６に設けられた入口６１によって本体５６に連結可能である。掃除機５７の本体５６をユーザが部屋中を動いているときにホースによって引っ張っていくことができる。ホースは、この引っ張り作用及びホースが室内の障害物を擦ったときに生じる場合のある通常の擦り傷に耐えるほど頑丈な構造を有している。コネクタ８から突き出たピン１３，１４，１５は、入口６１内に設けられた対応の雌型コネクタ（これらの図では見えない）と電気的接触関係をなす。本体５６内部の電気的接続部は、ホースの導体を電子プロセッサ５５に接続する。
【００３５】
電子プロセッサ５５は、種々の機能を実行するよう構成されているのが良い。例えば、攪拌器モータ５４に供給された電力を処理されるべき表面の形式に従って調整するのが良い。プロセッサ５５は、床用ツール５０又は掃除機５７が誤動作を起こした場合又はこれらを誤用している場合、攪拌器モータ５４又は主モータを消勢するため、床用ツール及び真空掃除機と関連したスイッチの状態をモニタするよう構成されているのが良い。プロセッサは又、分析又は調査目的で掃除機５７及び（又は）床用ツール５０の使い方を記録するよう構成されているのが良い。電気器具の或る特定の動作パラメータ、例えば主モータが消勢により停止する動作温度を変更するためにデータをプロセッサ５５にアップロードするのが良い。
【００３６】
真空掃除機５７及び床用ツール５０を掃除のために用いるためには、ユーザは、ワンド組立体３８の管３９，４０，４１を図６の引っ込み位置から図７の伸長位置に伸長させなければならない。このようにする再、ホース２は、上述したようにワンド組立体３８の内部に沿って摺動する。この運動中、継手１７は、ワンド組立体３８に近づく。ワンド組立体が図７の完全伸長位置を占めると、継手１７のカバー３７は、収納管４２の端部に当接する。収納管４２の端部は、カバー３７の端部の丸形輪郭を受け入れるラッパ形開口部６２を有するのがよい。カバー３７は、ホース２をワンド組立体３８に対して旋回させることができ、しかも、もしカバーが設けられていなければホースが収納管４２の開口部６２と密な運動接触状態にあることに起因して受ける恐れのある摩耗及び引き裂きからホースを保護する。さらに、ワンド組立体３８の近くへの継手３７の配置場所は、ユーザにとって楽な位置である。
【００３７】
図８は、真空掃除機５７及び床用ツール５０を使用中の状態で示している。床用ツールは、ハウジング５１に対して転動するよう構成された転動支持組立体６３を更に有し、この転動支持組立体により、ヘッドを床面に沿って操縦することができる。転動支持組立体６３は、中央ローラ６４及び一対の外側ローラ６５ａ，６５ｂを有し、これら外側ローラは、転動支持面を構成するよう互いに対して配置されている。使用にあたり、ユーザは、取っ手４２によってワンド組立体３８をその長手方向軸線６６回りに回転させる。これにより、転動支持組立体６３の軸線は、床に対して傾く。ハウジング５１と転動支持組立体６３との間に設けられた回転可能な継手６７により、ツール５０のハウジングは、床と接触状態のままで方向転換することができる。ワンド組立体３８が長手方向軸線６５回りに回転する程度は、ツール５０がその前方に向いた位置から右側又は左側に向かって動く程度を定める。
【００３８】
本発明の範囲から逸脱することなく変形例を構成できる。例えば、継手１７の導電性部品は、接触アーム及びそれ故にこれら接触アームが取り付けられているホース部分が各スリップリングの外周部に沿って摺動可能な状態でスリップリングが静止したままであるよう構成されても良い。接触アームは、そのスリップリング又は各スリップリングの内面に接触するよう構成されているのが良い。
【００３９】
本発明を一方のホース部分がワンド組立体に取り付けられ、したがって静止状態のままである一方で、他方のホース部分がこの一方のホース部分に対して回転可能であるような継手に関して説明した。変形例として、継手は、両方のホース部分が互いに無関係に動くことができるよう構成されても良い。
【００４０】
継手は、所定の角度範囲にわたって相対的な旋回運動を与えるよう構成されても良く、この場合、停止部が所定の箇所を越える回転運動を阻止する。
【００４１】
本発明を２つのホース部分から成り、これらホース部分相互間に１つの継手が設けられたホースに関して説明した。これよりも多いホース部分及び各ホース部分相互間の継手を設けても良い。
【００４２】
ホース・ワンド組立体は、上述したよりも多い又は少ない導体及び上述したよりも多い又は少ない管を有することができる。ワンド組立体の管の全ては他の管に対する入れ子状運動を行うことができる必要はない。ホースを下行して延びるスリーブは、他のコンポーネントを収納するよう構成されていても良い。例えば水又は洗浄用流体がワンド及びホースに沿って流れることができるようにするよう構成された別の流体導管として別のスリーブを設けても良い。
【図１ａ】
2010512897.tif 000003
【図１ｂ】
2010512897.tif 000004
【図２】
2010512897.tif 000005
【図３】
2010512897.tif 000006
【図４】
2010512897.tif 000007
【図５】
2010512897.tif 000008
【図６】
2010512897.tif 000009
【図７】
2010512897.tif 000010
【図８】
2010512897.tif 000011
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
表面処理用電気器具用のホース・ワンド組立体であって、ホース及びワンドを有し、前記ホースは、少なくとも１つの電気導体をその長さの少なくとも一部に沿って有し、前記ワンドは、引っ込み位置と伸長位置との間で互いに対して摺動可能に動くことができるよう構成された複数本の管を有し、前記ホースは、前記管が前記伸長位置にあるとき、前記ホースが前記ワンドの少なくとも一部の中に延びるよう前記ワンドの連結され、前記最も細い管は、前記ワンド組立体に取り付け可能なコンポーネントに接続可能に前記管から突き出た電気コネクタを有する、組立体。
【請求項２】
前記ホースは、前記最も細い管の端部まで延びている、請求項１記載の組立体。
【請求項３】
前記ホースは、隣りの管の近くに位置する前記最も細い管の端部まで延びている、請求項２記載の組立体。
【請求項４】
前記少なくとも１つの電気導体は、前記伸長位置にあるときの前記ワンドの遠位端部まで延びている、請求項１、２又は３記載の組立体。
【請求項５】
前記複数本の管を前記引っ込み位置にあるときに収納することができる収納用管を更に有する、請求項１〜４のうちいずれか一に記載の組立体。
【請求項６】
前記複数本の管を前記収納管内で引っ込み位置に保持するロック手段を更に有する、請求項５記載の組立体。
【請求項７】
各管をその隣りの管に対して所定の位置にロックするよう構成された固定機構体を更に有する、請求項１〜６のうちいずれか一に記載の組立体。
【請求項８】
複数のコネクタが、前記ホースの長さの少なくとも一部に沿って延びている、請求項１〜７のうちいずれか一に記載の組立体。
【請求項９】
前記少なくとも１つの電気導体は、前記ホース内に設けられたスリーブによって支持されている、請求項１〜８のうちいずれか一に記載の組立体。
【請求項１０】
前記ホースは、第１のホース部分と、第２のホース部分と、第１のホース部分と第２のホース部分との間に設けられていて、前記ホース部分の相対回転運動を可能にするよう構成された継手とを有する、請求項１〜９のうちいずれか一に記載の組立体。
【請求項１１】
前記管が前記伸長位置にあるとき、前記継手は、前記ワンドの端部に隣接して位置する、請求項１０記載の組立体。
【請求項１２】
前記継手は、保護カバーを有する、請求項１０又は１１記載の組立体。
【請求項１３】
前記継手は、前記ホース部分のそれぞれの前記電気導体相互間の電気的接続を可能にするよう配置されたスリップリング構造体を有する、請求項１０、１１又は１２記載の組立体。
【請求項１４】
ユーザが前記ワンドを操作することができるようにするよう構成された取っ手を更に有する、請求項１〜１３のうちいずれか一に記載の組立体。
【請求項１５】
請求項１〜１４のうちいずれか一に記載のホース・ワンド組立体を有する、表面処理用電気器具。
【請求項１６】
電力を前記ホースに送るよう構成されたプロセッサを更に有する、請求項１５記載の電気器具。
【請求項１７】
信号を前記ホースに送るよう構成されたプロセッサを更に有する、請求項１５記載の電気器具。
【請求項１８】
前記ホースから信号を受け取るよう構成されたプロセッサを更に有する、請求項１５記載の電気器具。
【請求項１９】
モータ駆動式攪拌器を備えた床用ツールを更に有する、請求項１５〜１８のうちいずれか一に記載の電気器具。
【請求項２０】
真空掃除機の形態をしている請求項１５〜１９のうちいずれか一に記載の表面処理用電気器具。
【国際調査報告】
2010512897.tif 000012
2010512897.tif 000013
2010512897.tif 000014
2010512897.tif 000015
2010512897.tif 000016